(57)【特許請求の範囲】
【請求項１】
プリピットが予め形成された光ディスクに光ビームを照射し、ウォブル信号とプリピット信号に基づき生成した記録クロックに従って情報を前記光ディスクに記録再生する情報記録再生装置において、
前記光ディスクからの反射光に基づき、プッシュプル信号を生成するプッシュプル信号生成手段と、
前記プッシュプル信号と基準レベルとを比較して前記プリピットを検出するプリピット検出回路と、
前記プリピットが検出されないとき、前記基準レベルを変化させて前記プリピットの検出を再度実行するリトライ処理を実行する制御手段と、を備え、
前記制御手段は、前記光ディスクにおいて、情報記録用トラックが間欠的に形成されているエンボス領域においてのみ前記リトライ処理を実行し、
前記エンボス領域は、前記光ディスクのアンリーダブルエンボスエリアであることを特徴とする情報記録再生装置。
【請求項２】
前記制御手段は、前記プリピットが検出されない場合、前記エンボス領域の先頭に戻って前記リトライ処理を実行することを特徴とする請求項１に記載の情報記録再生装置。
【請求項３】
前記制御手段は、前記プリピットが検出されない場合、前記エンボス領域内の所定数のブロック毎に前記リトライ処理を実行することを特徴とする請求項１に記載の情報記録再生装置。
【請求項４】
前記制御手段は、前記基準レベルを所定値毎に増減して前記リトライ処理を繰り返すことを特徴とする請求項１乃至３のいずれか一項に記載の情報記録再生装置。
【請求項５】
前記所定値は、前記ウォブル信号の振幅に対して所定の割合を有する値に決定されることを特徴とする請求項４に記載の情報記録再生装置。
【請求項６】
前記制御手段は、前記リトライ処理を実行したにもかかわらず前記プリピット検出回路が前記プリピットを検出できない場合、前記ウォブル信号のみにより生成した前記記録クロックに従い、前記アンリーダブルエンボスエリアに引き続くエリアへのデータ書き込みを実行するイレギュラー処理を行うことを特徴とする請求項１乃至５のいずれか一項に記載の情報記録再生装置。
【請求項７】
前記制御手段は、前記リトライ処理を所定回数実行し、又は、所定の変更範囲内で前記リトライ処理を再実行したにもかかわらず前記プリピット検出回路が前記プリピットを検出できない場合に、前記イレギュラー処理を実行することを特徴とする請求項１乃至６に記載の情報記録再生装置。
【請求項８】
プリピットが予め形成された光ディスクに光ビームを照射し、ウォブル信号とプリピット信号に基づき生成した記録クロックに従って情報を前記光ディスクに記録再生する情報記録再生装置において実行されるプリピット検出方法において、
前記光ディスクからの反射光に基づき、プッシュプル信号を生成するステップと、
前記プッシュプル信号と基準レベルとを比較して前記プリピットを検出するステップと、
前記プリピットが検出されないとき、前記基準レベルを変化させて前記プリピットの検出を再度実行するリトライ処理を実行するステップと、を有し、
前記リトライ処理を実行するステップは、前記光ディスクにおいて、情報記録用トラックが間欠的に形成されているエンボス領域においてのみ前記リトライ処理を実行し、
前記エンボス領域は、前記光ディスクのアンリーダブルエンボスエリアであることを特徴とするプリピット検出方法。
【請求項９】
前記リトライ処理を実行するステップは、前記基準レベルを所定値毎に増減して前記リトライ処理を繰り返すことを特徴とする請求項８に記載のプリピット検出方法。
【請求項１０】
前記リトライ処理を実行したにもかかわらず前記プリピット検出回路が前記プリピットを検出できない場合に、前記ウォブル信号のみにより生成した前記記録クロックに従い、前記アンリーダブルエンボスエリアに引き続くエリアへのデータ書き込みを実行するステップをさらに有することを特徴とする請求項８又は９に記載のプリピット検出方法。
【発明の詳細な説明】
【０００１】
【発明の属する技術分野】
本発明は、記録可能な光ディスクに対して情報を記録し、及び、情報を再生する情報記録再生装置の技術分野に属し、特に光ディスクに設けられたプリピットを安定的に検出するための技術に関する。
【０００２】
【従来の技術】
情報の追記又は書き換えが可能な情報記録媒体として、ＣＤ−Ｒ（Compact Disc-Recordable）、ＤＶＤ−Ｒ（DVD-Recordable）、ＤＶＤ−ＲＷ（DVD-Rewritable）などのディスクが知られている。
【０００３】
これらのディスクには、未記録領域に情報を記録するために、ディスク半径方向に僅かに揺動（ウォブリング）されたグルーブトラック（記録用トラック）が予め形成されている。グルーブトラックは、ディスク上のトラックの位置情報等を示すプリ情報で所定の周波数を有する搬送波をＦＭ変調したウォブル信号に応じてディスク上に形成されている。
【０００４】
かかるグルーブトラックからウォブル信号を抽出するには、照射した光ビームのグルーブトラックからの反射光を、グルーブトラックの接線方向と光学的に平行な分割線で２分割されたフォトディテクタで受光し、各ディテクタからの出力の差分を取り、かかる差分信号を上記所定の周波数を中心周波数とするＢＰＦ（Band Pass Filter)に供給する。
【０００５】
上述のディスクは、ＢＰＦを介して抽出されたウォブル信号の平均周波数が、上記所定の周波数となるように回転制御される。この際、抽出されたウォブル信号（以下、「抽出ウォブル信号」と呼ぶ。）は、記録用クロック信号を生成するための基準信号としても利用される。つまり、抽出ウォブル信号は、ディスクの回転に同期した周波数成分を有する連続信号であり、かかる連続信号に位相同期したクロック信号を生成することによって、ディスクの回転に正確に同期した記録用クロック信号を生成するのである。
【０００６】
また、グルーブトラックがウォブリングしていることに加え、グルーブトラックに隣接するランドトラック上には所定の間隔でいわゆるプリピットが形成されている。プリピットは、抽出ウォブル信号から生成された記録用クロック信号の位相調整のためにも使用される。プリピットはディスクの情報記録領域において所定の間隔で予め形成されているので、情報記録再生装置は、抽出ウォブル信号に基づいて記録用クロック信号を生成するとともに、プリピットの検出結果に基づいて記録用クロック信号の位相を調整する。こうして、情報記録再生装置は、ディスクに情報を記録するための正しい記録用クロック信号を生成し、それに基づいて情報の記録を行う。
【０００７】
【発明が解決しようとする課題】
上述のようなディスクにおいては、著作権に関する情報や不正コピーを防止するための情報などを含む情報が記録されたリードインエリアにおいて、情報記録用のグルーブトラックが不連続（間欠的）に形成されているものがある。即ち、情報を記録するためのデータエリアなどにおいてはグルーブトラックが連続的に形成されているが、上記の領域においてはグルーブトラックが不連続に形成された結果、ディスク面上に繰り返し凹凸が形成されたような形状となっている（以下、このような部分を「エンボスエリア」とも呼ぶ。）。
【０００８】
ＤＶＤ−ＲＷなどの未記録ディスクでは、リードインエリア内のエンボスエリアに上述の不正コピー防止のための情報などの重要な情報が予め記録されており、その情報はもちろん読取可能である。しかし、エンボスエリア内では、そのような情報を不正に書き換えようと所定の情報を記録した場合でも、記録用のグルーブトラックは間欠的に形成されているので、上書きした情報を正しく再生することはできない。これにより、不正コピーの防止その他に関連する重要な情報が書き換えされることを防止するようにしている。
【０００９】
しかしながら、エンボスエリア内では、グルーブトラックが間欠的に形成されているので、プリピット信号を含む抽出ウォブル信号のノイズ成分が増加し、プリピット信号の検出を安定的に行うことができないという問題がある。そのため、ディスクへの情報記録終了時に行われる、いわゆるファイナライズ処理において、記録用クロック信号が不安定となり、正しくファイナライズ処理が実行できないことがあった。
【００１０】
本発明は、以上の点に鑑みてなされたものであり、グルーブトラックが連続的に形成されていないエンボスエリアなどにおいても、安定的にプリピットを検出して正しく情報記録を行うことが可能な情報記録再生装置及びプリピット検出方法を提供することを課題とする。
【００１１】
【課題を解決するための手段】
本発明の１つの観点によれば、プリピットが予め形成された光ディスクに光ビームを照射し、ウォブル信号とプリピット信号に基づき生成した記録クロックに従って情報を前記光ディスクに記録再生する情報記録再生装置において、前記光ディスクからの反射光に基づき、プッシュプル信号を生成するプッシュプル信号生成手段と、前記プッシュプル信号と基準レベルとを比較して前記プリピットを
検出するプリピット検出回路と、前記プリピットが検出されないとき、前記基準レベルを変化させて前記プリピットの検出を再度実行するリトライ処理を実行する制御手段と、を備え、前記制御手段は、前記光ディスクにおいて、情報記録用トラックが間欠的に形成されているエンボス領域においてのみ、前記リトライ処理を実行し、前記エンボス領域は、前記光ディスクのアンリーダブルエンボスエリアである。
【００１２】
上記の情報記録再生装置によれば、プリピットが予め形成された光ディスクに情報を記録する際には、光ビームを照射し、ウォブル信号とプリピット信号を抽出して、それらに基づいて記録クロックを生成し、その記録クロックに従って情報の記録を行う。プリピット信号の生成においては、光ディスクからの反射光からプッシュプル信号を生成し、これを基準レベルと比較してプリピットを検出する。ここで、プリピットが検出できないときには、基準レベルを変化させてプリピットの検出処理を再度実行する。また、情報記録用トラックが間欠的に形成されているエンボス領域においてのみ、前記リトライ処理を実行するので、情報記録用トラックが間欠的に形成されているために、ウォブル信号及びプリピット信号に比較的多くのノイズを含む領域においても、正しくプリピットが検出される。エンボス領域は、光ディスクのアンリーダブルエンボスエリアである。
【００１６】
上記の情報記録再生装置のさらに他の一態様では、前記制御手段は、前記プリピットが検出されない場合、前記エンボス領域の先頭に戻って前記リトライ処理を実行する。
【００１７】
この態様によれば、基準レベルを変化させて、エンボス領域の先頭から確実にプリピット検出をやり直すことができる。
【００１８】
上記の情報記録再生装置のさらに他の一態様では、前記制御手段は、前記プリピットが検出されない場合、前記エンボス領域内の所定数のブロック毎に前記リトライ処理を実行する。
【００１９】
この態様によれば、光ビームの位置を戻す処理を行うことなく、迅速にリトライ処理を行うことができる。
【００２０】
上記の情報記録再生装置のさらに他の一態様では、前記制御手段は、前記基準レベルを所定値毎に増減して前記リトライ処理を繰り返す。
【００２１】
この態様によれば、基準値レベルを増加と減少の両方向に変化させながらリトライ処理を行うので、ノイズ成分の特性にかかわらず効率的にリトライ処理を行うことができる。
【００２２】
上記の情報記録再生装置のさらに他の一態様では、前記所定値は、前記ウォブル信号の振幅に対して所定の割合を有する値に決定される。
【００２３】
この態様によれば、ウォブル信号の振幅を考慮して適切な基準値レベルの変化量を決めることができる。
【００２４】
上記の情報記録再生装置のさらに他の一態様では、前記制御手段は、前記リトライ処理を実行したにもかかわらず前記プリピット検出回路が前記プリピットを検出できない場合、前記ウォブル信号のみにより生成した前記記録クロックに従い、前記アンリーダブルエンボスエリアに引き続くエリアへのデータ書き込みを実行するイレギュラー処理を行う。
【００２５】
この態様によれば、リトライ処理にもかかわらずプリピットが検出できない場合は、ウォブル信号のみに基づいて情報の記録を行うので、ウォブル信号の精度が高い場合には、ディスクへの記録を完了させることができ、記録が中止されてディスクが無駄になることが防止される。
【００２６】
上記の情報記録再生装置のさらに他の一態様では、前記制御手段は、前記リトライ処理を所定回数実行し、又は、所定の変更範囲内で前記リトライ処理を再実行したにもかかわらず前記プリピット検出回路が前記プリピットを検出できない場合に、前記イレギュラー処理を実行する。
【００２７】
この態様によれば、何度かのリトライ処理を実行したにもかかわらずプリピットが検出できないという例外的な場合にのみ、イレギュラー処理が実行される。
【００２８】
本発明の他の観点によれば、プリピットが予め形成された光ディスクに光ビームを照射し、ウォブル信号とプリピット信号に基づき生成した記録クロックに従って情報を前記光ディスクに記録再生する情報記録再生装置において実行されるプリピット検出方法において、前記光ディスクからの反射光に基づき、プッシュプル信号を生成するステップと、前記プッシュプル信号と基準レベルとを比較して前記プリピットを検出するステップと、前記プリピットが検出されないとき、前記基準レベルを変化させて前記プリピットの検出を再度実行するリトライ処理を実行するステップと、を有し、前記リトライ処理を実行するステップは、前記光ディスクにおいて、情報記録用トラックが間欠的に形成されているエンボス領域においてのみ、前記リトライ処理を実行し、前記エンボス領域は、前記光ディスクのアンリーダブルエンボスエリアである。
【００２９】
上記のプリピット検出方法によれば、光ディスクからの反射光からプッシュプル信号を生成し、これを基準レベルと比較してプリピットを検出する。ここで、プリピットが検出できないときには、基準レベルを変化させてプリピットの検出処理を再度実行する。また、情報記録用トラックが間欠的に形成されているエンボス領域においてのみ、前記リトライ処理を実行するので、情報記録用トラックが間欠的に形成されているために、ウォブル信号及びプリピット信号に比較的多くのノイズを含む領域においても、正しくプリピットが検出される。エンボス領域は、光ディスクのアンリーダブルエンボスエリアである。
【００３０】
上記のプリピット検出方法の一態様では、前記リトライ処理を実行するステップは、前記基準レベルを所定値毎に増減して前記リトライ処理を繰り返す。
【００３１】
この態様によれば、基準値レベルを増加と減少の両方向に変化させながらリトライ処理を行うので、ノイズ成分の特性にかかわらず効率的にリトライ処理を行うことができる。
【００３２】
上記のプリピット検出方法のさらに他の一態様では、リトライ処理を実行したにもかかわらず前記プリピット検出回路が前記プリピットを検出できない場合に、前記ウォブル信号のみにより生成した前記記録クロックに従い、前記アンリーダブルエンボスエリアに引き続くエリアへのデータ書き込みを実行するステップをさらに有する。
【００３３】
この態様によれば、リトライ処理にもかかわらずプリピットが検出できない場合は、ウォブル信号のみに基づいて情報の記録を行うので、ウォブル信号の精度が高い場合には、ディスクへの記録を完了させることができ、記録が中止されてディスクが無駄になることが防止される。
【００３４】
【発明の実施の形態】
以下、図面を参照して本発明の好適な実施の形態について説明する。
【００３５】
［１］光ディスクの構成
始めに、プリ情報に対応したプリピットを形成すると共に、後述のグルーブトラックを所定の周波数でウォブリングさせた光ディスクとしてのＤＶＤ−ＲＷについて図１及び図２を用いて説明する。
【００３６】
まず、図１を用いてＤＶＤ−ＲＷの構造について説明する。図１において、ＤＶＤ−ＲＷ３１はデータ記録層としての記録層４１を備えた書き換え可能な色素型ディスクであり、データ記録用トラックとしてのグルーブトラック３２と、当該グルーブトラック３２に再生光又は記録光としてのレーザビーム等の光ビームＢを誘導するためのガイド用トラックとしてのランドトラック３３とが形成されている。ランドトラック３３にはプリ情報に対応するプリピット３４が形成されている。このプリピット３４はＤＶＤ−ＲＷ３１を出荷する前に予め形成されているものである。
【００３７】
グルーブトラック３２及びランドトラック３３は保護膜３７に形成され、図１における保護幕３７の下方に、保護層３５と保護層３８に挟まれた形で記録層４１が形成されている。また、保護層３８の図１における下方には反射層３６、樹脂層３９Ａ、及び基板３９がそれぞれ形成されている。
【００３８】
更に、当該ＤＶＤ−ＲＷ３１においては、グルーブトラック３２をディスクの回転速度に対応する周波数でウォブリングさせている。このウォブリングされたグルーブトラック３２は、上記プリピット３４と同様に、ＤＶＤ−ＲＷ３１を出荷する前に予め形成されるものである。
【００３９】
そして、ＤＶＤ−ＲＷ３１に記録情報（プリ情報以外の本来記録するべき画像情報等の情報をいう。以下同じ。）を記録する際には、後述の情報記録再生装置によってこのグルーブトラック３２のウォブリング周波数を抽出することによりＤＶＤ−ＲＷ３１を所定の回転速度で回転制御する。また、プリピット３４を検出することにより予めプリ情報を取得し、それに基づいて記録光としての光ビームＢの最適出力等が設定されると共に、記録情報を記録すべきＤＶＤ−ＲＷ３１上の位置を示すアドレス情報等が取得され、このアドレス情報に基づいて記録情報が対応する記録位置に記録される。
【００４０】
ここで、記録情報の記録時には、光ビームＢをその中心がグルーブトラック３２の中心と一致するように照射してグルーブトラック３２上に記録情報に対応する記録情報ピットを形成することにより、記録情報データを記録する。この時、光スポットＳＰの大きさは、図１に示すように、その一部がグルーブトラック３２だけではなくランドトラック３３にも照射されるように設定される。
【００４１】
そして、このランドトラック３３に照射された光スポットＳＰの一部の反射光を用いてプッシュプル法（グルーブトラック３２の接線方向、すなわち、ＤＶＤ−ＲＷ３１の回転方向に平行な分割線により分割された光検出器を用いたプッシュプル法（以下、「ラジアルプッシュプル方式」という。））により、プリピット３４からプリ情報を検出して当該プリ情報が取得されると共に、グルーブトラック３２からウォブル信号を抽出してディスクの回転に同期した後述する記録用クロック信号が取得される。
【００４２】
なお、図１は説明の便宜上、通常のディスクに対して記録／再生が行われるときと比較して、ディスク面を裏返した状態を示している。通常は、ディスクの下面に対して下方から光ビームＢを照射することにより、ディスクに対して記録情報データの記録／再生が行われる。
【００４３】
また、図１における保護膜７はＤＶＤ−ＲＷ３１のベースとしての役割を有し、その上にグルーブトラック３２及びランドトラック３３が形成される。さらに、その上に保護層３５、記録層４１、保護層３８、反射層３６、樹脂層３９Ａ及び基板３９が形成されてＤＶＤ−ＲＷ３１が製造される。なお、グルーブトラック３２及びランドトラック３３との呼び名は、ベースとしての保護膜３７側から見て凹部をグルーブトラック２と呼び、凸部をランドトラック３３と呼んでいることを付記しておく。
【００４４】
次に、上記ＤＶＤ−ＲＷ３１に予め記録されているプリ情報の記録フォーマットについて、図２を用いて説明する。なお、図２において、上段は記録情報における記録フォーマットを示し、下段の波形は当該記録情報を記録するグルーブトラック３２のウォブリング状態（グルーブトラック３２の平面図）を示す。記録情報とグルーブトラック３２のウォブリング状態の間の上向き矢印は、プリピット３４が形成される位置を模式的に示すものである。ここで、図２においては、グルーブトラック３２のウォブリング状態は、理解の容易のため実際の振幅よりも大きい振幅を用いて示している。なお、記録情報は当該グルーブトラック３２の中心線上に記録される。
【００４５】
図２に示すように、上記ＤＶＤ−ＲＷ３１に記録される記録情報は、予め情報単位としてのシンクフレーム毎に分割されている。そして、２６個のシンクフレームにより１つのレコーディングセクタが形成され、更に、１６個のレコーディングセクタにより１つのＥＣＣ（Error Correcting Code ）ブロックが形成される。なお、１つのシンクフレームは、上記の記録情報を記録する際の記録フォーマットにより規定されるピット間隔に対応する単位長さ（以下、Ｔという。）の１４８８倍（１４８８Ｔ）の長さを有しており、更に、１つのシンクフレームの先頭の１４Ｔの長さの部分はシンクフレーム毎の同期をとるための同期情報ＳＹとして用いられる。
【００４６】
一方、上記ＤＶＤ−ＲＷ３１に記録されるプリ情報は、シンクフレーム毎に記録される。ここで、プリピット３４によりＤＶＤ−ＲＷ３１にプリ情報が記録される場合は、記録情報の夫々のシンクフレームにおいて同期情報ＳＹが記録される領域に隣接するランドトラック３３上に、プリ情報における同期信号を示すものとして必ず１つのプリピット３４が形成されると共に、当該同期情報ＳＹ以外の当該シンクフレーム内の前半部分に隣接するランドトラック３３上に、記録すべきプリ情報の内容を示すものとして２つ又は１つのプリピット３４が形成される（なお、同期情報ＳＹ以外の当該シンクフレーム内の前半部分については、記録すべきプリ情報の内容によってはプリピット３４が形成されない場合もある。）。
【００４７】
この際、１つのレコーディングセクタにおいては、偶数番目のシンクフレーム（以下、ＥＶＥＮフレームという。）のみにプリピット３４が形成されてプリ情報が記録される。すなわち、図２において、ＥＶＥＮフレームにプリピット３４が形成された場合には（図２において実線上向き矢印で示す。）、それに隣接するＯＤＤフレームにはプリピット３４は形成されない。１つのＥＶＥＮフレームとそれに続くＯＤＤフレームにおける上記各プリピット３４（シンクフレームの先頭から夫々プリピットＢ０、Ｂ１及びＢ２とする。）の有無の関係は、当該ＥＶＥＮフレームがレコーディングセクタの先頭であるか否か、及び、当該ＥＶＥＮフレームとそれに続くＯＤＤフレームに記録すべき情報の内容に対応して設定される。
【００４８】
より詳細には、ＥＶＥＮフレームにプリピットを形成する場合には、レコーディングセクタの先頭のシンクフレームにおいては、全てのプリピット３４（プリピットＢ０、Ｂ１及びＢ２）が形成されており、レコーディングセクタの先頭以外のシンクフレームにおいては当該シンクフレームに記録すべきプリ情報が「１」のときにはプリピットＢ０及びＢ２のみが形成されており、記録すべきプリ情報が「０」のときにはプリピットＢ０及びＢ１が形成されている。また、ＯＤＤフレームにプリピットを形成する場合には、レコーディングセクタの先頭のシンクフレームにおいては、プリピットＢ０及びＢ１が形成されており、レコーディングセクタの先頭以外のシンクフレームにおいては上記ＥＶＥＮフレームの場合と同様である。
【００４９】
なお、プリピット３４をＥＶＥＮフレーム／ＯＤＤフレームのいずれのシンクフレームに形成するかは、隣接するランドトラック上に先行して形成されたプリピット３４の位置に依存して決められる。すなわち、プリピット３４は通常ＥＶＥＮフレームに形成されるが、当該ＥＶＥＮフレームにプリピット３４を形成した場合に、それが先行して形成された隣接するランドトラック上のプリピット３４とＤＶＤ−ＲＷ３１のディスクの径方向において近接する時には、ＥＶＥＮフレームではなくＯＤＤフレームにプリピット３４が形成されるのである。このように形成することにより、隣接するランドトラック位置にはプリピット３４が存在しなくなるためプリピット３４の検出に当たってはクロストークによる影響を低減できる。
【００５０】
一方、グルーブトラック３２は、全てのシンクフレームに亘って１４０ＫＨｚの一定ウォブリング周波数ｆ０（１つのシンクフレーム内に８波分のウォブル信号が入る周波数）でウォブリングされている。そして、後述の情報記録再生装置によって、この一定のウォブリング周波数ｆ０を抽出することによりスピンドルモータの回転制御のための信号が検出されると共に、記録用クロック信号が生成される。
【００５１】
なお、プリピット３４とウォブル信号との位相関係を一定にするため、プリピットＢ０は、シンクフレームの開始位置からの所定位置（例えば７Ｔ分離れた位置）に形成され、プリピットＢ０から１８６Ｔ（１４８８Ｔ／８）分づつ離れてプリピットＢ１及びＢ２が形成される（プリピットの形成方法については特願平８年第３１０９４１号に詳細に説明されている。）。
【００５２】
［２］光ディスクの記録フォーマット
次に、上述のＤＶＤ−ＲＷ３１の記録フォーマットについて説明する。図３（Ａ）はＤＶＤ−ＲＷ３１の断面を模式的に示した図であり、ディスクの内周側から外周側に向かって、リードインエリア５１、データエリア５２及びリードアウトエリア５３が設けられる。リードインエリア５１は各種の制御情報及び管理情報などを記録する領域であり、データエリア５２は映像情報その他の記録情報を記録する領域であり、リードアウトエリア５３はデータエリア５２の最外周部を規定する領域である。
【００５３】
図３（Ｂ）にリードインエリア５１のより詳細なデータ構造を示す。リードインエリア５１は、ディスクの内周側から、イニシャルゾーン５１１、バッファゾーン５１２、ＲＷ物理フォーマット情報ゾーン５１３、リファレンスコードゾーン５１４、バッファゾーン５１５、コントロールデータゾーン５１６、及び、エキストラボーダーゾーン５１９を含む。このうち本発明において特に関連を有するのがコントロールデータゾーン５１６とエキストラボーダーゾーン５１９である。
【００５４】
コントロールデータゾーン５１６は、ディスク内周側のリーダブルエンボスエリア５１７と、その外周側のアンリーダブルエンボスエリア５１８とを含む。コントロールデータゾーン５１６内は、情報記録用のグルーブトラック３２がディスクの周方向（接線方向）に間欠的（不連続）に形成されたエンボスエリアとなっている。
【００５５】
このうち、リーダブルエンボスエリア５１７には、例えば著作権情報、不正コピー防止のための情報などのコントロールデータが工場出荷時などに予め記録される。これらのコントロールデータは、光ディスクの記録再生装置により読み取り可能である。しかし、リーダブルエンボスエリア５１７には、グルーブトラック３２が間欠的に形成されているので、コントロールデータを上書きしたとしても、それを正しく読み取ることができない。その結果、コントロールデータを不正に書き換えることが防止される。
【００５６】
なお、リーダブルエンボスエリア５１７内には、ランドトラック３３上にプリピット３４は形成されていない。これは、プリピット３４は本来は未記録領域において記録クロック信号を生成する目的で形成されているからであり、リーダブルエンボスエリア５１７内では予め記録されたコントロールデータが読み出されるのみであるので、プリピット３４は形成されていないのである。
【００５７】
また、アンリーダブルエンボスエリア５１８は、それに続くエキストラボーダーゾーン５１９へ情報を書き込むためのクロック同期を確立する目的で設けられている。ＤＶＤ−ＲＷ３１に対して情報を書き込む場合には、抽出ウォブル信号及びプリピット３４の検出信号から生成される記録用クロック信号に基づいて情報が記録される。しかし、図２を参照して説明したようにプリピット３４は不連続に形成されているので、ＤＶＤ−ＲＷ３１のある程度の長さの領域を読み取って複数個のプリピット３４を読み取らないと、正しい位相の記録用クロック信号を生成することができない。
【００５８】
一方、エキストラボーダーゾーン５１９に情報を記録するためには、エキストラボーダーゾーン５１９の先頭において、正しい記録用クロック信号が生成されていなければならない。このため、エキストラボーダーゾーン５１９の直前にアンリーダブルエンボスエリア５１８を設け、そこで複数個のプリピット３４を検出して正しい記録用クロック信号を生成する。こうして、記録用光ビームがエキストラボーダーゾーン５１９の先頭に至った時には既に正しい記録用クロック信号が生成されているようにしている。
【００５９】
このため、アンリーダブルエンボスエリア５１８内には情報は記録されておらず、単にプリピット３４が前述の規則に従って形成されている。よって、情報記録再生装置は、アンリーダブルエンボスエリア５１８内のプリピット３４を読み取ることにより、後述する正しい位相の記録用クロック信号を生成し、その記録用クロック信号に基づいてエキストラボーダーゾーン５１９へ情報の記録を行う。
【００６０】
［３］情報記録再生装置
次に、本発明による情報記録再生装置の実施形態について図４乃至図９に基づいて説明する。なお、以下の実施形態では、ＤＶＤ−ＲＷ３１において、当該ＤＶＤ−ＲＷ３１上のアドレス情報等を含む上記プリピット３４及びウォブリングするグルーブトラック３２が予め形成されている。情報の記録時には、情報記録再生装置Ｓは、グルーブトラックのウォブル周波数に基づいてＤＶＤ−ＲＷ３１を回転制御するとともに、プリピット３４を検出することによりＤＶＤ−ＲＷ３１上のアドレス情報を取得し、これにより記録情報を記録するＤＶＤ−ＲＷ３１上の記録位置を検出して記録するものとする。
【００６１】
図４に示すように、情報記録再生装置Ｓは、ピックアップ１と、スピンドルモータ２と、スピンドルドライバ３と、レーザ駆動回路４と、パワー制御回路５と、エンコーダ６と、インタフェース７と、再生増幅器８と、デコーダ９と、プロセッサ（ＣＰＵ）１０と、回転制御のための基準クロック信号を発生する基準クロック発生器１１と、ＢＰＦ（Band Pass Filter）１２と、プリピット信号検出器１３と、プリピット信号デコーダ１４と、ウォブル信号抽出器１５と、位相比較器１６と、回転制御信号を発生する位相比較器１７と、ＰＬＬ（Phase Locked Loop ）回路１８と、移相器１９とから構成されている。ＰＬＬ回路１８は、位相比較器１８１と、ＬＰＦ（Low Pass Filter)１８２と、ＶＣＯ（Voltage Controlled Oscillator ）１８３と、分周器１８４とを含む。
【００６２】
なお、情報記録再生装置Ｓにおいては、外部のホストコンピュータから（図示せず）記録すべき情報がインタフェース７を介して入力され、また、ＤＶＤ−ＲＷ３１に記録された情報はインタフェース７を介して出力される。
【００６３】
次に、全体の動作を説明する。ピックアップ１は、図示しないレーザダイオード、偏光ビームスプリッタ及び対物レンズ、並びに図５に示す光検出器７０を含む。ピックアップ１は、記録動作の際は、レーザ駆動回路４から供給される、記録情報に基づいたレーザ駆動信号に応じて変化する出射パワーで光ビームＢをＤＶＤ−ＲＷ３１の情報記録面に照射して記録情報の記録を行うと共に、再生動作の際は、一定の出射パワー（読取パワー）で光ビームＢをＤＶＤ−ＲＷ３１に照射して、その反射光を光検出器で受光する様に動作する。
【００６４】
また、ピックアップ１は情報記録面に照射した光ビームの情報記録面からの反射光を光検出器で受光し、これを電気信号に変換して、例えばラジアルプッシュプル方式に基づく演算処理を施すことにより上記プリピット３４のプリピット信号、グルーブトラック３２のウォブル信号、及び記録情報を担う検出信号ＳDTを生成し、再生増幅器８に出力する。
【００６５】
再生増幅器８は、ピックアップ１から出力されたプリピット３４のプリピット信号及びグルーブトラック３２のウォブル信号を担う検出信号ＳDTを増幅し、プリピット３４のプリピット信号及びグルーブトラック３２のウォブル信号を含むプリ情報信号ＳPPをＢＰＦ１２に出力すると共に、再生動作の際には、既に記録されている記録情報に対応するＲＦ信号Ｓp をデコーダ９に出力する。
【００６６】
再生増幅器８の構成の一例を図５に示す。図５において、ピックアップ１に含まれる光検出器７０はいわゆる４分割光検出器であり、４つの検出素子７０ａ〜７０ｄを備える。また、再生増幅器８は、増幅器７１ａ〜７１ｄと、ゲイン調整器７２ａ〜７２ｄと、加算器７３、７４、７６及び７７と、バランス調整器７５と、ローパスフィルタ７８とを備える。
【００６７】
光検出器７０の各検出素子７０ａ〜７０ｄから出力された電気信号はそれぞれ増幅器７１ａ〜７１ｄにより増幅され、さらにゲイン調整器７２ａ〜７２ｄによりそれぞれの信号のゲインが等しくなるようにゲイン調整がなされる。次に、ゲイン調整器７２ａの出力信号とゲイン調整器７２ｂの出力信号とが加算器７３により加算され、バランス調整器７５及び加算器７７に入力される。一方、ゲイン調整器７２ｃの出力信号とゲイン調整器７２ｄの出力信号は加算器７４により加算され、加算器７６及び７７に入力される。
【００６８】
バランス調整器７５は加算器７３の出力信号に対して所定のバランス調整処理を行って加算器７６に入力する。加算器７６は、バランス調整器７５の出力信号から加算器７４の出力信号を減算することにより、プリピットの検出などに使用されるプリ情報信号Ｓppを生成する。プリ情報信号Ｓppは、図４に示すＢＰＦ１２へ供給される。なお、このプリ情報信号Ｓppは、トラッキングサーボ信号としても利用され、図示しないトラッキングサーボ制御回路へ入力される。
【００６９】
一方、加算器７７は、加算器７３の出力信号と加算器７４の出力信号を加算し、加算器７７の出力信号は所定のローパスフィルタ７８によりノイズ除去されてＲＦ信号Ｓpが生成される。ＲＦ信号Ｓpは、ＤＶＤ−ＲＷ３１に記録された記録情報を示す信号であり、図４に示すデコーダ９へ供給される。
【００７０】
図４に戻り、デコーダ９は、入力されたＲＦ信号Ｓp に対して８／１６復調及びデインターリーブを施すことにより当該ＲＦ信号Ｓp をデコードして復調信号ＳDMを生成し、この復調信号ＳDMをＣＰＵ１０に出力する。
【００７１】
一方、ＢＰＦ１２は、再生増幅器８から供給されたプリ情報信号ＳPPに含まれるノイズ成分を除去してウォブル信号の所定位置（例えば最大振幅位置）でプリピット信号が重畳された複合信号ＳPC（図８（ａ））をプリピット信号検出器１３並びにウォブル信号抽出器１５に出力する。
【００７２】
プリピット信号検出器１３は、複合信号ＳPCを所定の基準値、例えば、図８（ａ）におけるウォブル信号の最大振幅値より大きい基準レベルＶrp（以下、この基準レベルＶrpを「プリピット検出基準レベル」とも呼ぶ。）と比較する図示しないコンパレータからなり、複合信号ＳPCの振幅レベルが上記プリピット検出基準レベルＶrpよりも大きい期間、すなわち、プリピットの存在する期間において、パルス信号であるプリピット検出信号ＳPDをプリピット信号デコーダ１４並びに位相比較器１６に出力する。
【００７３】
プリピット信号デコーダ１４は、供給されたプリピット検出信号ＳPDから、ＤＶＤ−ＲＷ３１上のアドレス情報を含むプリ情報を復号して、ＣＰＵ１０に出力する。
【００７４】
一方、ウォブル信号抽出手段であるウォブル信号抽出器１５は、複合信号ＳPCを所定の基準値、例えば図８（ａ）におけるウォブル信号のPP（Peak-to-Peak）値の中間レベルＶr0と比較する図示しないコンパレータを備え、複合信号ＳPCの振幅レベルが上記基準値Ｖr0よりも大となる期間中にＨ（High）レベルとなるパルス信号（図８（ｂ））を、抽出ウォブル信号ＳWBとして、位相比較器１６、１７及びＰＬＬ回路１８に出力する。
【００７５】
ＰＬＬ回路１８は、位相比較器１８１、ＬＰＦ１８２、ＶＣＯ１８３及び分周器１８４からなり、入力された抽出ウォブル信号ＳWBの位相に同期したクロック信号ＳCKを移相器１９に出力する。
【００７６】
一方、位相比較器１６は、後述する動作によってプリピット検出信号ＳPDと抽出ウォブル信号ＳWBとの位相比較を行い、プリピット検出信号と抽出ウォブル信号とが本来有する所定の位相関係からのずれを示す位相調整信号SCNTを移相器１９に出力する。
【００７７】
移相器１９は、ＰＬＬ回路１８から供給されるクロック信号ＳCKの位相を位相調整信号SCNTに基づいて調整し、記録用クロック信号ＳCRとしてエンコーダ６並びにパワー制御回路５に出力する。
【００７８】
一方、位相比較器１７は、入力された抽出ウォブル信号ＳWBと基準クロック発生器１１から供給されるＤＶＤ−ＲＷ３１の回転速度の基準周波数成分を担う基準クロック信号ＳREF との位相比較を行い、その差信号を回転制御信号としてスピンドルドライバ３を介してスピンドルモータ２に供給する。これによりスピンドルサーボが構成され、ＤＶＤ−ＲＷ３１はスピンドルモータ２により所定の回転数で回転せしめられる。
【００７９】
インタフェース７は、ＣＰＵ１０の制御の下、図示しないホストコンピュータから送信されてくる記録情報ＳRRを情報記録再生装置に取り込むためのインタフェース動作を行い、当該記録情報ＳRRをＣＰＵ１０を介してエンコーダ６に出力する。
【００８０】
エンコーダ６は、移相器１９から供給される記録用クロック信号ＳCRをタイミング信号として、ＥＣＣ処理、８／１６変調処理並びにスクランブル処理を施し、変調信号ＳREを生成してパワー制御回路５に出力する。
【００８１】
パワー制御回路５は、ディスク上に形成される記録ピットの形状を良好にするべく、移相器１９から出力される記録用クロック信号ＳCRに基づいて、変調信号ＳREの波形変換（いわゆる、ライトストラテジ処理）を行い、記録信号ＳD としてレーザ駆動回路４に出力する。
【００８２】
レーザ駆動回路４は、ピックアップ１中の図示しないレーザダイオードを実際に駆動して、供給された記録信号ＳD に応じた出射パワーで光ビームＢを出射せしめるためのレーザ駆動信号を出力する。
【００８３】
ＣＰＵ１０は、記録動作の際は、プリピット信号デコーダ１４から供給されるプリ情報からアドレス情報を取得し、当該アドレス情報に対応するＤＶＤ−ＲＷ３１上の位置に記録情報を記録するように情報記録再生装置全体を制御する。また、ＣＰＵ１０は、再生動作の際は、ＤＶＤ−ＲＷ３１に記録されている記録情報を復調信号ＳDMから取得して外部のホストコンピュータに出力するように、情報記録再生装置全体を制御する。
【００８４】
次に、位相比較器１６及び移相器１９のより具体的な構成及び動作について図６及び図８を用いて説明する。
【００８５】
位相比較器１６は、抽出ウォブル信号ＳWBのＨレベルの間所定の傾斜角度を有する三角波信号を発生する三角波発生回路１６３と、プリピット検出信号ＳPDの検出タイミングにおける三角波信号の振幅レベルを保持するサンプルホールド回路１６４とを含んで構成される。
【００８６】
三角波発生回路１６３は、一端が接地されたキャパシタ４５と、当該キャパシタ４５の他方の一端に接続され当該キャパシタ４５に一定電流を供給する定電流源４６と、一端が接地されると共に他方の一端が上記キャパシタ４５と定電流源４６との接続点ａに接続されたスイッチ４７とからなる。また、スイッチ４７は、バッファ１６１を介して供給される抽出ウォブル信号ＳWBに応じて、当該抽出ウォブル信号ＳWBがＨレベルの期間は開状態とされると共に、抽出ウォブル信号ＳWBがＬ（Low ）レベルの期間は閉状態とされる。
【００８７】
以上の構成により三角波信号の発生が行われる。すなわち、抽出ウォブル信号ＳWBがＨレベルとなり、スイッチ４７が開状態とされると、定電流源４６からキャパシタ４５に供給される一定の充電電流によって、キャパシタ４５の静電容量に応じた傾斜角度で接続点ａにおける端子電圧、つまり、キャパシタ４５の充電電圧が上昇する（図８（ｄ）のＴ１）。
【００８８】
一方、抽出ウォブル信号ＳWBがＬレベルとなり、スイッチ４７が閉状態とされると、キャパシタ４５の充電電圧はスイッチ４７を介して一気に放電され、接続点ａは接地電圧となる（図８（ｄ）のＴ２）。この間、定電流源４６から供給される充電電流もスイッチ４７を通じてキャパシタ４５をバイパスされる。そして、再度スイッチ４７が開状態とされると、キャパシタ４５への充電電流の供給が再開されキャパシタ４５の端子電圧は、接地電圧から時間と共に一定の傾斜で上昇する（図８（ｄ）のＴ３）。このように、三角波発生回路１６３は、抽出ウォブル信号ＳWBのＨレベルの期間、振幅レベルが一定の割合で変化する三角波信号を発生し、かかる三角波信号をバッファ１６２を介してサンプルホールド回路１６４に出力する。
【００８９】
サンプルホールド回路１６４は、バッファ１６２を介して供給される三角波信号をプリピット検出信号ＳPDに応じてキャパシタ４９に中継するスイッチ４８と、中継された三角波信号の電圧レベルを保持するキャパシタ４９とから構成される。
【００９０】
スイッチ４８は、プリピット検出信号ＳPDがＨレベルの期間、閉状態となって三角波信号をキャパシタ４９に供給すると共に、プリピット検出信号ＳPDがＬレベルの期間は開状態となって三角波信号のキャパシタ４９への供給を断とする。
【００９１】
したがって、キャパシタ４９は、プリピット検出信号ＳPDのＨレベルの期間に供給された三角波信号の振幅レベルに応じた充電電圧を次のプリピット検出信号ＳPDのＨレベル期間が到来するまでの間保持することになる。このキャパシタ４９の保持する充電電圧が位相調整信号ＳCNT としてバッファ１６５を介して移相器１９に供給される。
【００９２】
以上の通り、位相比較器１６は、抽出ウォブル信号ＳWBのＨレベル／Ｌレベルの間の遷移状態に応じてキャパシタ４５を充放電することによって所定の傾斜角度を有する三角波信号を発生し、当該三角波信号の振幅レベルをプリピット検出信号ＳPDの検出タイミングでサンプル／ホールドする。
【００９３】
ＤＶＤ−ＲＷ３１におけるウォブル信号を担うグルーブとプリピット信号を担うプリピットは図２に示される通り所定の位相関係を持って記録されている。したがって、ウォブル信号抽出器１５から出力される抽出ウォブル信号ＳWBとプリピット信号検出器１３から出力されるプリピット検出信号ＳPDの位相が当該所定の位相関係にあるならば、サンプル／ホールドされた信号レベルは、常に所定の電圧レベルである（例えば、図８（ｄ）における三角波信号の中間振幅レベルＶM となる）。
【００９４】
しかしながら、クロストークの影響により、隣接するグルーブトラックからのウォブル信号成分の漏れ込みがあると、かかるウォブル信号成分との干渉によって、当該グルーブトラックからの抽出ウォブル信号ＳWBに時間軸上での変動が生じることになる。一方、上記の通り、プリピット信号はＤＶＤ−ＲＷ３１の径方向には近接して形成されることはないため、隣接するランドトラックからのクロストークの影響は受けないから、複合信号ＳPCから検出されるプリピット検出信号ＳPDはクロストークに基づく時間軸上での変動を伴わない正確なタイミング信号と見なすことができる。
【００９５】
したがって、かかるプリピット検出信号ＳPDによって抽出ウォブル信号ＳWBから生成した三角波信号をサンプル／ホールドすることにより、上記所定の位相関係からのずれ量を知ることが可能となる。つまり、位相比較器１６は、抽出ウォブル信号ＳWBとプリピット検出信号ＳPDとの位相差（クロストークによって生じた抽出ウォブル信号の時間軸エラー）に応じた電圧信号（この例では中間振幅レベルＶM を中心とした振幅レベル）を出力するように動作する。かかる位相差信号が位相調整信号ＳCNT として移相器１９に供給されるのである。
【００９６】
一方、移相器１９は、ＰＬＬ回路１８から出力されたクロック信号SCK がキャパシタ１９５を介してベース端子Ｂに供給されるトランジスタ１９１と、アノードが当該トランジスタ１９１のコレクタ端子Ｃに接続されると共にカソードがキャパシタ１９６を介して接続点ｂにおいて抵抗器１９３に接続される可変容量ダイオード１９２と、一端が当該トランジスタ１９１のエミッタ端子Ｅに接続されると共に他方の一端が接続点ｂに接続される抵抗器１９３とを備える。
【００９７】
また、位相比較器１６から供給される位相調整信号ＳＣＮＴは抵抗器１９４を介して可変容量ダイオード１９２のカソードに接続される。そして、接続点ｂから記録用クロック信号ＳCRがバッファ１９６を介して出力される構成となっている。なお、複数の抵抗器１９７はトランジスタ１９１のバイアス抵抗である。
【００９８】
以上の構成により、ＰＬＬ回路１８から供給されるクロック信号ＳCKが、移相器１９に入力され、かかるクロック信号ＳCKの位相がサンプルホールド回路１６４から供給される位相調整信号ＳCNT に応じて移相される。すなわち、トランジスタ１９１のベース端子Ｂに供給されたクロック信号ＳCKは、コレクタ端子Ｃから入力クロック信号ＳCKに対して１８０度位相反転された反転信号として出力されると共に、エミッタ端子Ｅからは入力クロック信号とは同相信号として出力される。この際、可変容量ダイオード１９２並びにキャパシタ１９６の静電容量に基づくリアクタンス値が抵抗器１９３の抵抗値に比べ充分小ならば、接続点ｂからの出力信号、すなわち移相器１９から出力される記録用クロック信号ＳCRは、入力クロック信号ＳCKに対して略１８０度移相されることになる。
【００９９】
逆に、リアクタンス値が抵抗値よりも充分大ならば、入力クロック信号ＳCKと記録用クロック信号ＳCRは、同相のままである。このように、移相量は可変容量ダイオード１９２、キャパシタ１９６並びに抵抗器１９３によるインピーダンスに応じて変化する。なお、１８０度以上の移相量を必要とする場合には、移相器１９を縦続に接続し多段構成とすればよい。
【０１００】
この実施形態では、位相比較器１６から出力される位相差信号を位相調整信号ＳCNT として可変容量ダイオード１９２に供給し、かかる位相調整信号ＳCNT によって可変容量ダイオード１９２の端子電圧を変化せしめることにより可変容量ダイオードのリアクタンス値を変化せしめ、クロック信号ＳCKの移相量を変化させて記録用クロック信号ＳCRを得ている。つまり、移相調整信号ＳCNT の信号レベルが、抽出ウォブル信号とプリピット検出信号との位相関係が所定の位相関係であることを示す上記ＶM とどれぐらいずれているのかに応じて、かかるずれ量を相殺する方向にクロック信号ＳCKの移相量を調整し、調整後のクロック信号を記録用クロック信号ＳCRとしてエンコーダ６、並びにパワー制御回路５に出力するのである。
【０１０１】
このように、クロストークの影響を無視できないウォブル信号に基づいて生成されるクロック信号の時間軸上の変動を、クロストークの影響を受けないプリピットを用いて補正するので、ディスクの回転に高い精度で同期した記録用クロック信号を生成することが可能となる。
【０１０２】
次に、プリピット信号検出器１３について詳細に説明する。図７は、プリピット信号検出器１３の基本構成例を示すブロック図である。図７においてプリピット信号検出器１３は、ＡＧＣ回路１３０と、ウォブル振幅検出回路１３１と、比較器１３２と、Ｄ／Ａ（Digital to Analog）変換器１３３と、ノイズゲート回路１３４と、比較器１３５とを備える。
【０１０３】
ＢＰＦ１２から入力されたウォブル信号とプリピット信号の複合信号ＳPCは、ＡＧＣ回路１３０を介して比較器１３２へ入力され、ＡＧＣ回路１３１の出力信号はウォブル振幅検出回路１３１へ入力されている。ＡＧＣ回路１３０とウォブル振幅検出回路１３１とはＡＧＣループを構成しており、ウォブル振幅検出回路１３１が複合信号ＳPCの振幅を検出してＡＧＣ回路１３０へ供給することにより、複合信号ＳPCが所定のゲインとなるようにＡＧＣ制御されている。そして、ＡＧＣループによりゲイン調整された複合信号ＳPCが比較器１３２へ入力される。
【０１０４】
一方、Ｄ／Ａ変換器１３３には、ＣＰＵ１０から出力されたプリピット検出基準信号Ｓrefが入力される。プリピット検出基準信号Ｓrefは、図８（ａ）に波形を示す複合信号ＳPC中のプリピット部分１３７を検出するための基準レベル、即ち前述のプリピット検出基準レベルＶrpを示すディジタルデータである。Ｄ／Ａ変換器１３３は、ＣＰＵ１０からのプリピット検出基準信号ＳrefをＤ／Ａ変換してプリピット検出基準レベルＶrpを生成し、比較器１３２へ入力する。
【０１０５】
比較器１３２は、ＡＧＣされた複合信号ＳPCとプリピット検出基準レベルＶrpとを比較し、比較結果信号をノイズゲート回路１３４へ入力する。よって、複合信号ＳPC中のプリピット部分１３７は比較器１３２により検出され、プリピット部分１３７の位置に対応するパルス（図８（ｃ）の波形の如き）を含む比較結果信号がノイズゲート回路１３４へ入力される。但し、プリピット部分以外のノイズ成分により比較器１３２への入力信号レベルがプリピット検出基準レベルＶrpを超えた場合にも、比較器１３２はパルスをノイズゲート１３４へ出力してしまう。このようなノイズに基づくパルスを、以下のノイズゲート１３４が除去することになる。
【０１０６】
ＢＰＦ１２からの複合信号ＳPCは比較器１３５にも入力される。比較器１３５は、ウォブル信号のうちプリピット信号が存在する期間を検出する回路である。図８（ａ）に示すように、プリピット部分１３７は通常はウォブル信号の最大振幅位置付近に位置するので、ウォブル信号のそれ以外の部分で比較器１３２が検出した振幅変化はプリピットによるものではなく、ノイズによるものであるといえる。よって、比較器１３５は、複合信号ＳPCを所定の基準電圧Ｖrefと比較することによりウォブル信号の最大振幅位置付近を示すゲート信号を生成し、ノイズゲート回路１３４は比較器１３５から出力されるゲート信号で比較器１３２の出力信号をゲートする。これにより、比較器１３２が検出した振幅変化からノイズによるものが除去され、正しいプリピット検出信号ＳPDが得られる。こうして得られたプリピット検出信号ＳPDは、図４に示すプリピット信号デコーダ１４へ入力される。
【０１０７】
なお、図７に示すプリピット信号検出回路１３の構造は、説明の便宜上、記録用と再生用の光ビームについて共通なものを示したが、実際には、例えば特開２０００−３１１３４４に開示されるように、マーク期間用とスペース期間用の別個のプリピット検出回路を有して構成される。
【０１０８】
ここで、本発明では、特に前述のアンリーダブルエンボスエリア５１８（図３参照）において、ＣＰＵ１０からＤ／Ａ変換器１３３を介して比較器１３２に供給されるプリピット検出基準レベルＶrpを変化させてプリピット検出を行うことを特徴とする。
【０１０９】
前述のように、アンリーダブルエンボスエリア５１８は、それに続くエキストラボーダーゾーン５１９への制御データなどの書き込みのための準備として、プリピットを検出して正しい記録クロック信号を確立するために設けられている。アンリーダブルエンボスエリア５１８内にはプリピットが形成されており、これを図７に示すプリピット検出回路１３で検出するわけであるが、アンリーダブルエンボスエリア５１８内ではグルーブトラック３２が間欠的に形成されているため、ウォブル信号とプリピット信号を含む復号信号ＳPCにノイズ成分が多く含まれる傾向がある。つまり、エンボスエリア内では、グルーブトラック３２が途切れている部分はディスクによる反射光が発散して正しくピックアップ１に戻らないため、その部分においてはウォブル信号は比較的大きなノイズを含むことになる。このため、アンリーダブルエンボスエリア５１８では予めディスクの製造時にウォブル信号の振幅が大きくなるようにグルーブトラック３２を形成してウォブル信号のＣ／Ｎ比を上げるようにしている。一方、プリピット検出回路１３では、そのウォブル信号をＡＧＣループによりゲイン調整するので、ウォブル信号のゲインを通常のレベルに下げており、これに伴ってプリピット信号のレベルも低下してしまう。よって、アンリーダブルエンボスエリア５１８内では、プリピット信号に対するノイズの影響が大きく、通常のデータエリアなどと同様の固定したプリピット検出基準レベルＶrpでは正しくプリピットの検出ができないことが多い。
【０１１０】
そこで、本発明では、通常のプリピット検出基準レベルＶrpによってプリピット検出ができない場合には、ＣＰＵ１０から出力されるプリピット検出基準信号Ｓrefを変化させてプリピット検出基準レベルＶrpを変化させて、繰り返しプリピット検出を行うこととした。
【０１１１】
通常、プリピット検出基準レベルＶrpは、ウォブル信号の振幅に対して４０％〜５０％程度に決められている。即ち、一般的又は理論的なウォブル信号振幅の４０％程度の値が予め設計時に決定され、この値を示すディジタルデータをＣＰＵ１０がプリピット検出基準信号Ｓrefとしてプリピット検出回路１３へ出力している。よって、まずこの値を初期値としてプリピット検出を行い、プリピット検出が失敗した場合には、それに対して例えばウォブル信号振幅の２〜３％などを１ステップとして、±数ステップにわたってプリピット検出基準レベルを変化させてプリピット検出を再実行する。これにより、アンリーダブルエンボスエリア５１８においてもノイズの影響を排除して正しくプリピット検出を行うことが可能となる。
【０１１２】
このような処理を含むプリピット検出処理を図９のフローチャートを参照して説明する。図４に示す情報記録再生装置Ｓを利用してＤＶＤ−ＲＷ３１にユーザが所望の情報を記録している際、ユーザが情報記録再生装置Ｓに対して記録のファイナライズ処理を指示すると、図９に示す処理が実行される。なお、図９に示す処理は、基本的にＣＰＵ１０が予め用意されたプログラムを実行することにより行われる。また、図９の例では、アンリーダブルエンボスエリア５１８内でプリピット検出基準レベルＶrpの初期値によってプリピット検出処理が正しく行えない場合には、プリピット検出基準レベルを、「＋１ステップ」、「−１ステップ」、「＋２ステップ」、「−２ステップ」、という具合に最大で±５ステップまで変更してプリピット検出を再実行する。なお、ここので１ステップは、前述のように例えばウォブル信号振幅などを基準として予め決められた値である。
【０１１３】
さて、ユーザによりファイナライズ処理が指示されると、まずリードアウトエリアに所定の情報が書き込まれる（ステップＳ１）。次に、リードインエリアへの制御情報などの書き込みが開始され（ステップＳ２）、図２（ｂ）に示すリードインエリアのイニシャルゾーン５１１から図２（ｂ）における下方のゾーンへ向かって、必要なゾーンに必要な情報が順次書き込まれる。これは、具体的にはピックアップ１からの光ビームＢをイニシャルゾーン５１１から順に移動させることにより行われる。
【０１１４】
こうして必要な情報を書き込みつつ光ビームＢがバッファゾーン５１５の終わりまで到達すると、光ビームＢはさらにリーダブルエンボスエリア５１７へ進むが、先に述べたように、リーダブルエンボスエリア５１７内にはＤＶＤ−ＲＷ３１の出荷時に既に必要な情報が記録されているので、新たな記録は行われず、光ビームＢは次のアンリーダブルエンボスエリア５１８へと進む。なお、リーダブルエンボスエリア５１７内にはプリピットは形成されていないが、既に記録されている制御情報などに含まれるアドレス情報に基づいてピックアップ１の制御が行われる。
【０１１５】
そして、光ビームがアンリーダブルエンボスエリア５１８へ入ると（ステップＳ３；Yes）、プリピット検出が正しく行われたか否かが判定される（ステップＳ４）。プリピット検出が正しく行われた場合は（ステップＳ４；Yes）、処理はステップＳ８へ進む。
【０１１６】
一方、アンリーダブルエンボスエリア５１８内でプリピット検出が正しく行われなかった場合（ステップＳ４；No）、ＣＰＵ１０は前述のプリピット検出基準レベルが“−５ステップ”まで変更されたか否かを判定する（ステップＳ５）。
【０１１７】
プリピット検出基準レベルが未だ「−５ステップ」まで変更されていない場合は（ステップＳ４；No）、ＣＰＵ１０はプリピット検出基準レベルを前述の変化順に従って１つ変更し（例えば、プリピット検出基準レベルが「＋１ステップ」であるときは「−１ステップ」とする。）（ステップＳ６）、アンリーダブルエンボスエリア５１８の先頭へ光ビームＢを戻し（ステップＳ７）、再度プリピット検出を行う。
【０１１８】
こうして、アンリーダブルエンボスエリア５１８内では、プリピット検出が正しく行われるまで、「＋１ステップ」、「−１ステップ」、「＋２ステップ」、「−２ステップ」、「＋３ステップ」、..という順に「−５ステップ」までプリピット検出基準レベルを変更して、プリピット検出のリトライを行う。
【０１１９】
そして、プリピット検出レベルの変更によりプリピット検出が正しく行われた場合には（ステップＳＳ４；Yes）、処理はステップＳ８へ進む。また、「−５ステップ」までプリピット検出基準レベルを変更してもプリピット検出が正しく行われなかった場合は（ステップＳ５；Yes）、イレギュラー処理としてではあるが、処理はステップＳ８へ進む。
【０１２０】
なお、ステップＳ４において、アンリーダブルエンボスエリア５１８内でプリピット検出が正しく行われないとは、基本的には図７に示すプリピット検出回路１３からのプリピット検出信号ＳPD中に図８（ｃ）に例示するようなプリピットの存在を示すパルスが含まれない状況、又は、規格に従ったプリピット幅よりも明らかに大きな幅のパルスや多数のパルスが含まれている（つまり、振幅の大きいノイズが検出されている）状況などを指す。
【０１２１】
次に、ステップＳ８でエキストラボーダーゾーンの少し手前にシークし、次にアンリーダブルエンボスエリア５１８に続く（図２（ｂ）参照）エキストラボーダーゾーン５１９に光ビームが進んだか否かが判定される（ステップＳ９）。光ビームＢがエキストラボーダーゾーン５１９に進むまでには、原則として（つまり、ステップＳ５がYesとなってイレギュラー処理が行われた場合を除き）、アンリーダブルエンボスエリア５１８内で検出したプリピットに基づいて記録用クロック信号が生成されるので、光ビームがエキストラボーダーゾーン５１９に入るときには、正しい記録用クロック信号が生成されていることになる。
【０１２２】
そして、エキストラボーダーゾーン５１９に対して必要な制御情報などの書き込みが行われ（ステップＳ１０）、続いて光ビームＢがそれに続くデータエリアへ入ったか否かが判定される（ステップＳ１１）。
【０１２３】
光ビームＢがデータエリアに入ったことが検出されると（ステップＳ１１；Yes）、リードインエリア内への制御情報などの書き込みが完了したことになるので、ファイナライズ処理が終了する（ステップＳ１２）。
【０１２４】
なお、図９の例では、「−５ステップ」までプリピット検出基準レベルを変更してもプリピット検出が正しく行えなかった場合（ステップＳ５；Yes）でも、光ビームＢを、アンリーダブルエンボスエリア５１８を通ってエキストラボーダーゾーン５１９へ向かって進行させているが、その際にはアンリーダブルエンボスエリア５１８内で得られるウォブル信号のみに基づいて記録用クロックを再生し、これに基づいてピックアップ１を制御して光ビームを進行させることとなる。なお、プリピット検出が正しく行えなかった場合（ステップＳ５；Yes）、エラーメッセージを表示して終了するようにしてもよい。
【０１２５】
このように、本発明によれば、グルーブトラック３２がエンボス状（間欠的）に形成されているアンリーダブルエンボスエリア５１８内では、プリピット検出基準レベルを所定範囲で変更してプリピット検出を繰り返し行うので、ウォブル信号にノイズが多い場合でも、正しくプリピット検出を行うことが可能となる。なお、アンリーダブルエンボスエリアに限らず、ノイズなどの影響の大きい、光ディスクの他のエリアにおいても同様にプリピット検出基準レベルを変更してプリピット検出のリトライ処理を実行することももちろん可能である。
【０１２６】
なお、上記の例では、プリピット検出基準レベルをウォブル信号振幅の２〜３％を１ステップとして±５ステップの範囲で変更しているが、これは単なる一例であり、本発明はこれと異なる変更幅及び／又は範囲でプリピット検出基準レベルを変更することももちろん可能である。なお、現実には、プリピット検出基準レベルを変更してプリピット検出を再実行する間は、ユーザはファイナライズ処理が中断しているように感じるので、一般的なユーザが許容できる待ち時間などを考慮してプリピット検出基準レベルの変更範囲及び／又は変更回数の制限を決定することも１つの好ましい方法であるといえる。
【０１２７】
また、図９の例では、プリピット検出基準レベルを変更する度に光ビームをアンリーダブルエンボスエリア５１９の先頭へ移動させてプリピット検出を再実行しているが、その代わりに、光ビームをアンリーダブルエンボスエリア５１９の先頭まで戻すことなく、光ビームが所定距離進んだ時点でプリピット検出が成功しない場合にはその都度プリピット検出基準レベルを変更することにしてもよい。例えば、プリピット検出が成功しない場合には、数ＥＣＣブロック毎にプリピット検出基準レベルを変更してプリピット検出をリトライするように構成してもよい。
【０１２８】
なお、図９のステップＳ７においては、プリピット検出基準レベルの変更後、アンリーダブルエンボスエリア５１９の先頭へ光ビームＢを移動させると説明したが、厳密には、アンリーダブルエンボスエリア５１８の少し前のリーダブルエンボスエリア５１７をサーチして光ビームを移動させ、そこからアンリーダブルエンボスエリア５１８へ光ビームＢを進めることになる。これは、厳密にはアンリーダブルエンボスエリア５１８内のプリピットが読めない状況であるので、アンリーダブルエンボスエリア５１８内へのサーチ及び光ビームＢの移動が行えないからである。
【０１２９】
なお、上述の実施形態においては、記録媒体としてウォブリングされたグルーブトラック間（ランドトラック）にプリピットを形成したＤＶＤ−ＲＷを採用した例について説明したが、データ記録用トラックであるグルーブトラック上にプリピットが形成された記録媒体に対しても本発明を適用することが可能である。
【０１３０】
また、図１においては、プリピット３４が隣接する２つのグルーブトラック３２にまたがるように形成されたタイプのディスク（ＤＶＤ−ＲＷ３１）を例示したが、本発明は、他の形態のプリピットを形成したディスクにも適用可能である。即ち、上述のはしご型と呼ばれる形状のプリピットの他、隣接するグルーブトラック間に独立のプリピットを設けたタイプのディスクや、グルーブトラック自体を部分的に湾曲させてプリピットを形成したタイプのディスクなど、プリピット形態を問わず本発明の適用が可能である。
【０１３１】
【発明の効果】
以上説明したように、本発明によれば、特にリードインエリアのアンリーダブルエンボスエリア内などにおいて、プリピット検出基準レベルを変更してプリピット検出を繰り返し行うので、トラックがエンボス形状に形成されているなどの理由によりノイズが多いエリア内においても、正しくプリピット検出を行うことが可能となる。
【図面の簡単な説明】
【図１】ＤＶＤ−ＲＷにおけるグルーブ及びプリピットの構造を示す図である。
【図２】ＤＶＤ−ＲＷにおけるグルーブ及びプリピットの形成フォーマットを示す図である。
【図３】ＤＶＤ−ＲＷの記録フォーマットを示す図である。
【図４】本発明の実施形態による情報記録再生装置の構成を示すブロック図である。
【図５】図４に示す再生増幅器の構成を示すブロック図である。
【図６】図４に示す位相比較器及びＰＬＬ回路の構成を示す図である。
【図７】図４に示すプリピット信号検出器の構成を示す図である。
【図８】図４の各部における信号波形を示す図である。
【図９】プリピット検出処理を示すフローチャートである。
【符号の説明】
１  ピックアップ
２  スピンドルモータ
３  スピンドルドライバ
４  レーザ駆動回路
５  パワー制御回路
６  エンコーダ
７  インタフェース
８  再生増幅器
９  デコーダ
１０  ＣＰＵ
１１  基準クロック発生器
１２  ＢＰＦ
１３  プリピット信号検出器
１４  プリピット信号デコーダ
１５  ウォブル信号抽出器
１６、１７  位相比較器
１８  ＰＬＬ回路
１９  移相器
３１  ＤＶＤ−ＲＷ
３２  グルーブトラック
３３  ランドトラック
３４  プリピット
３５  保護層
３６  反射層
３７  保護膜
４１  記録層
【図１】
0004355459.tif 000002
【図２】
0004355459.tif 000003
【図３】
0004355459.tif 000004
【図４】
0004355459.tif 000005
【図５】
0004355459.tif 000006
【図６】
0004355459.tif 000007
【図７】
0004355459.tif 000008
【図８】
0004355459.tif 000009
【図９】
0004355459.tif 000010